(57)【要約】【課題】収容した光学部品へのゴミの付着を防止することができ、また、製造が容易で、しかも光学部品の収容数を増やすことのできる収容容器を提供する。【解決手段】収容容器１００は、トレー１と、蓋２と、トレー１及び蓋２の、互いに重ね合わされる第１面と反対側の第２面に設けられる板状のカバー３Ａ，３Ｂと、を備える。トレー１及び蓋２の第２面に、枠部１３，２３が設けられ、枠部１３，２３の内側にカバー３Ａ，３Ｂが配置可能とされ、トレー１及び蓋２の第１面には、トレー１及び蓋２の第２面に形成された枠部１３，２３の内側に貫通して形成された光学部品Ｌを収容する収容部１０１が設けられ、収容部１０１に収容された光学部品Ｌは収容部１０１を介して枠部１３，２３の内側に露出され、枠部１３，２３の内側にカバー３Ａ，３Ｂが配置されることにより、枠部１３，２３の内側に露出された光学部品Ｌが覆われる。【選択図】図１
2013151313.tif 000002
【特許請求の範囲】
【請求項１】
光学部品を収容する収容容器であって、
トレーと、
前記トレーに重ね合わされる蓋と、
前記トレー及び前記蓋の、互いに重ね合わされる第１面と反対側の第２面にそれぞれ設けられる板状のカバーと、を備え、
前記トレー及び前記蓋の前記第２面に、枠部が設けられ、当該枠部の内側に前記カバーが配置可能とされ、
前記トレー及び蓋の前記第１面には、前記トレー及び蓋の前記第２面に形成された前記枠部の内側に貫通して形成された前記光学部品を収容する収容部が設けられ、
前記収容部に収容された光学部品は、当該収容部を介して前記枠部の内側に露出され、
前記枠部の内側に前記カバーが配置されることによって、前記枠部の内側に露出された前記光学部品が覆われることを特徴とする収容容器。
【請求項２】
前記トレーと、前記蓋の平面視における大きさが互いに異なることを特徴とする請求項１に記載の収容容器。 
【発明の詳細な説明】
【技術分野】
【０００１】
本発明は、収容容器に関する。
【背景技術】
【０００２】
従来、レンズなどの光学部品は、例えば、レンズが保持されるレンズ保持部を有する板状の第１及び第２のプレートを重ね合わせることによって構成されるトレー（収容容器）に収容される。また、レンズ保持部には、コート処理用の透孔が形成されており、この透孔を介してレンズ面にコート処理が施されるようになっている（例えば、特許文献１、２参照）。
【先行技術文献】
【特許文献】
【０００３】
【特許文献１】特開２００４−３１５０１４号公報
【特許文献２】特開２００２−４０２１１号公報
【発明の概要】
【発明が解決しようとする課題】
【０００４】
ところで、上述のプレートにはコート処理用の透孔が形成されているため、当該コート処理用の透孔を介して埃等のゴミがレンズ面に付着するという問題がある。しかしながら、上記特許文献１、２には、ゴミ付着の対策については何等記載されていない。
そこで、本発明者等は、ゴミ付着の対策として、例えば、トレー上を成形品からなるカバーで覆うことによって、コート処理用の透孔からの埃等の侵入を防止することを試みた。しかしながら、カバーを成形品で作った場合、トレーとカバーとの嵌合部分を設ける必要があり、しかもトレーを設計する際に、トレー面積は決められていることから、いかに沢山のレンズを収容できるかが重要であり、上述の嵌合部分をトレーに設けると、トレー及びカバーの形状が複雑となり製造が困難で、レンズ収容数も少なくなってしまう。
本発明は、上記事情に鑑みてなされたもので、収容した光学部品へのゴミの付着を防止することができ、また、製造が容易で、しかも光学部品の収容数を増やすことのできる収容容器を提供することを目的としている。
【課題を解決するための手段】
【０００５】
本発明の一の態様によれば、光学部品を収容する収容容器であって、
トレーと、
前記トレーに重ね合わされる蓋と、
前記トレー及び前記蓋の、互いに重ね合わされる第１面と反対側の第２面にそれぞれ設けられる板状のカバーと、を備え、
前記トレー及び前記蓋の前記第２面に、枠部が設けられ、当該枠部の内側に前記カバーが配置可能とされ、
前記トレー及び蓋の前記第１面には、前記トレー及び蓋の前記第２面に形成された前記枠部の内側に貫通して形成された前記光学部品を収容する収容部が設けられ、
前記収容部に収容された光学部品は、当該収容部を介して前記枠部の内側に露出され、
前記枠部の内側に前記カバーが配置されることによって、前記枠部の内側に露出された前記光学部品が覆われることを特徴とする収容容器が提供される。
【発明の効果】
【０００６】
本発明によれば、収容した光学部品へのゴミの付着を防止することができる。また、市販のシート等を使用することで、複雑な嵌合部を有する成形品からカバーを成形する必要もなく、製造が容易で低コスト化を図ることができる。さらに、光学部品の収容数を増やすことができる。
【図面の簡単な説明】
【０００７】
【図１】トレー及び蓋を重ね合わせた収容容器の断面図であって、図２〜図４における切断線I−Iに沿って切断した際の断面図である。
【図２】トレーを示した図であり、(a)はトレーの下面図、(b)はトレーの上面図である。
【図３】蓋を示した図であり、(a)は蓋の下面図、(b)は蓋の上面図である。
【図４】カバーを示した図であり、(a)は、トレーの下面に設けられるカバーの下面図、(b)は、蓋の上面に設けられるカバーの上面図である。
【図５】トレー及び蓋をクリップによって固定する方法を示した斜視図である。
【図６】トレー及び蓋を複数段重ね合わせた際の断面図である。
【図７】トレー及び蓋に形成された突起部及び溝部の変形例を示した図であって、(a)は蓋に形成された凸部の下面図、(b)は蓋に形成された凸部の側面図、(c)はトレーに形成された凸部の側面図、(d)はトレーに形成された凸部の上面図である。
【発明を実施するための形態】
【０００８】
以下、本発明の実施形態について図面を参照しながら説明する。
図１は、トレー及び蓋を重ね合わせた収容容器の断面図であって、図２〜図４における切断線I−Iに沿って切断した際の断面図である。
図１に示すように、収容容器１００は、光学部品Ｌを収容する容器であり、トレー１と、トレー１に重ね合わされる蓋２と、トレー１及び蓋２の、互いに重ね合わされる第１面と反対側の第２面にそれぞれ設けられるカバー３Ａ，３Ｂと、を備える。
なお、以下の本実施形態では、トレー１の上面１a（第１面）に蓋２が重ね合わされて、蓋２の上面２b（第２面）及びトレー１の下面１b（第２面）にカバー３Ａ，３Ｂが設けられる場合について説明する。
【０００９】
トレー１及び蓋２は、光学部品Ｌを傷つけにくく、軽量化、安価の観点から樹脂製とすることが好ましいが、金属製や木製、あるいは他の材料としても構わない。
光学部品Ｌとしては、眼鏡用やカメラ用、撮像素子用、光ピックアップ装置用等のレンズが挙げられるが、特に光ピックアップ装置用のレンズが好適である。
【００１０】
［トレー］
図２は、トレーを示した図であり、(a)はトレーの下面図、(b)はトレーの上面図である。
図２に示すように、トレー１は、平面視して矩形状をなしている。
トレー１の上面１aには、複数の光学部品Ｌが収容される収容領域１０が設けられている。この収容領域１０には、トレー１の下面１bに貫通する複数の貫通穴１１が所定間隔に形成されている。各貫通穴１１の周囲には、等間隔に４つの突起部１２が形成されている。そして、各貫通穴１１にそれぞれ光学部品Ｌの光学面が配置され、光学部品Ｌは４つの突起部１２によってその外周が規制されて、光学部品Ｌが平面方向に移動しないようになっている。貫通穴１１は、トレー１の上面１a側から下面１b側に向けて拡径して形成されている（図１参照）。
トレー１の下面１bは、トレー１の上面１aの収容領域１０に対応する位置の外側を囲むように矩形枠状に下方に突出する枠部１３が形成されている。枠部１３の内側には、上記複数の貫通穴１１が配置されている。
また、枠部１３の内側にカバー３Ａが配置されるようになっている。
【００１１】
［蓋］
図３は、蓋を示した図であり、(a)は蓋の下面図、(b)は蓋の上面図である。
図３に示すように、蓋２は、平面視して矩形状をなしている。
蓋２の下面２aには、複数の光学部品Ｌが収容される収容領域２０が設けられている。この収容領域２０には、蓋２の上面２bに貫通する複数の貫通穴２１が所定間隔に形成されている。これら各貫通穴２１には、それぞれ光学部品Ｌの光学面が配置されるようになっている。各貫通穴２１の周囲には、等間隔に４つの溝部２２が形成されている。そして、４つの溝部２２にトレー１の突起部１２が嵌めこまれて、トレー１と蓋２とが重なり合い、溝部２２と突起部１２とによって囲まれた空間が、光学部品Ｌが収容される収容部１０１（図１参照）とされる。
貫通穴２１は、蓋２の下面２a側から上面２b側に向けて拡径して形成されている（図１参照）。
蓋２の上面２bは、蓋２の下面２aの収容領域２０に対応する位置の外側を囲むように矩形枠状に上方に突出する枠部２３が形成されている。枠部２３の内側には、上記複数の貫通穴２１が配置されている。
また、枠部２３の内側にカバー３Ｂが配置されるようになっている。
また、蓋２に形成された枠部２３は、トレー１に形成された枠部１３よりも大きく形成されている。すなわち、後述するが図６に示すように、トレー１、光学部品Ｌ及び蓋２を複数段重ね合わせた際に、上段のトレー１の枠部１３が下段の蓋２の枠部２３の内側に嵌め込まれるようになっている。これによって、トレー１及び蓋２を複数段重ねた場合であっても上下の位置決めがなされて、確実に重ね合わせることができる。
【００１２】
蓋２は、トレー１の平面視の大きさよりも若干大きく形成されている。具体的には、蓋２の外周縁部に、外側に突出する複数の突出部２４が設けられている。突出部２４は、トレー１に蓋２を重ね合わせた際に、平面視してトレー１の外周縁部から突出するので、この突出部２４を指で持ち、蓋２を持ち上げることで、誤ってトレー１を持ち上げることなく、トレー１上から蓋２を容易に取り除くことができる。
【００１３】
トレー１及び蓋２の外周縁部であって互いに対向する位置には、トレー１と蓋２とを重ね合わせてカバー３Ａ，３Ｂをした後にゴムＧを掛けて、トレー１、蓋２及びカバー３Ａ，３Ｂを保持するためのゴム掛け溝１５，２５が形成されている。
また、蓋２の枠部２３で、外周縁部に形成したゴム掛け溝２５に対応する位置にもゴム掛け溝２６が形成されている（図３(b)参照）。
【００１４】
また、トレー１及び蓋２のコーナー部分には、収容容器１００を他の装置（図示しない）に対して位置決めするための位置決め用穴１７，２７が上下面を貫通して形成されている。
さらに、図３及び図５に示すように、蓋２の外周縁部で突出部２４の両側には、クリップ留め用の切り欠き部２８が形成されている。クリップ留め用の切り欠き部２８は、トレー１と蓋２とを重ね合わせた後に、クリップ２００の一対の脚部２０１間に、クリップ留め用の切り欠き部２８及びトレー１の外周縁部を差し込んで、トレー１と蓋２とが外れないようにするためのものである。また、クリップ留め用の切り欠き部２８が形成された箇所の蓋２の上面縁部には、クリップ２００の脚部２０１が係合する係合溝２９が形成されている（図５参照）。トレー１の下面縁部で、蓋２の上面縁部に対応する箇所にもクリップ２００の脚部２０１が係合する係合溝（図示しない）が形成されている。
クリップ２００は、一対の脚部２０１を有し、脚部２０１の先端に折り曲げ部２０２が形成されている。トレー１の外周縁部及び蓋２のクリップ止め用切り欠き部２８に一対の脚部２０１が嵌め込まれ、折り曲げ部２０２がトレー１及び蓋２の係合溝２９に係合することによって、クリップ２００がトレー１及び蓋２を挟み込み、トレー１及び蓋２が固定されるようになっている。
【００１５】
［カバー］
図４は、カバーを示した図であり、(a)は、トレーの下面に設けられるカバーの下面図、(b)は、蓋の上面に設けられるカバーの上面図である。
図４に示すように、カバー３Ａ，３Ｂは、薄板状（シート状）をなしており、例えば、ポリプロピレン等の樹脂からなるものが挙げられ、その他、光学部品Ｌの試験等で高温低温、多湿条件等で使用する場合には、その条件に合わせてカバー３Ａ，３Ｂの材質を変えることが好ましい。
カバー３Ａ，３Ｂの厚さは、例えば、0.05mm位から1mm程度が好ましく、ゴム掛け溝１５，２５にゴムＧを掛けた際に、ゴムＧの表面とカバー２の表面とが互いに面一となる厚さとすることが、外観上好ましい。さらにゴムＧがカバー２の表面から飛び出ないので、摺れて切れることもない。
カバー３Ａ，３Ｂの平面視における大きさは、トレー１及び蓋２の収容領域１０，２０の平面視における大きさよりも小さくなっている。カバー３Ａ，３Ｂは、例えば、市販の樹脂製シート等を所定の大きさに裁断したものを使用することができる。
ここで、カバー３Ａ及びカバー３Ｂの大きさを同じ大きさにすれば、カバー３Ａ及びカバー３Ｂを兼用することができるのでコストの低減を図ることができる。
【００１６】
次に、上述の収容容器１００に光学部品Ｌを収容する収容方法について説明する。
まず、図１に示すように、トレー１の収容領域１０に形成された各貫通穴１１に、光学部品Ｌの光学面を配置する。これによって４つの突起部１２が光学部品Ｌの外周を保持するので、光学部品Ｌの平面方向における移動が規制される。
次いで、蓋２に形成された各貫通穴２１を、トレー１上に保持された光学部品Ｌの他方の光学面に配置する。これによって蓋２に形成された４つの溝部２２に、トレー１に形成された４つの突起部１２がそれぞれ嵌め込まれて、トレー１と蓋２とが重なり合うとともに、トレー１と蓋２との間の収容部１０１に光学部品Ｌが収容される。
次いで、クリップ２００を、蓋２のクリップ留め用切り欠き部２８及びトレー１の外周縁部を差し込んで、トレー１と蓋２とを固定する。
ここで、クリップ２００によって固定したトレー１及び蓋２を上下反転させた場合であっても、トレー１の４つの突起部１２が蓋２の４つの溝部２２内にそれぞれ嵌めこまれ、トレー１と蓋２とが位置ずれすることもないので、トレー１及び蓋２を重ね合わせることによって形成された収容部１０１に光学部品Ｌが収容された状態が保持される。
次いで、蓋２の上面２bに形成された枠部２３の内側にカバー３Ｂを配置し、トレー１の下面１bに形成された枠部１３の内側にカバー３Ａを配置する。
最後に、トレー１及び蓋２に形成されたゴム掛け溝１５，２５にそれぞれゴムＧを掛けることによって、トレー１、蓋２及びカバー３Ａ，３Ｂを固定する。
【００１７】
以上、本発明の実施形態によれば、収容部１０１に収容された光学部品Ｌは、貫通穴１１，２１を介して枠部１３，２３の内側に露出しており、枠部１３，２３の内側にカバー３Ａ，３Ｂが配置されることによって、枠部１３，２３の内側に露出した光学部品Ｌが覆われるので、光学部品Ｌに埃等のゴミが付着することを防止することができる。その結果、光学部品Ｌにコート処理等を行った場合の膜抜けの発生や、光学的影響、外観問題等を防ぐことができる。
また、カバー３Ａ，３Ｂは板状で、枠部１３，２３の内側に設けられるので、市販のシート等を使用することができ、また、枠部１３，２３の外側を覆う構成ではないことから、枠部１３，２３を覆うための複雑な嵌合部を有する成形品からカバーを成形する必要もない。そのため、製造が容易で低コスト化を図ることができる。
また、カバー３Ａ，３Ｂがトレー１及び蓋部２の外側に突出することもなく、小型化することができ、外観上好ましい。
さらに、枠部１３，２３の厚さを薄く形成することによって、枠部１３，２３の内側に設けられる収容部１０１の数を多く確保することができ、光学部品Ｌの収容数を増やすことができる。
【００１８】
また、トレー１と蓋２の平面視における大きさが互いに異なるので、トレー１と蓋２とが重ね合わされている状態から、蓋２をトレー１から容易に取り除くことができる。
【００１９】
なお、本発明は、上記実施形態に限定されるものではなく、本発明の要旨を逸脱しない範囲で適宜変更可能である。
例えば、上記実施形態では、１枚のトレー１及び１枚の蓋２を重ね合わせて上下にカバー３Ａ，３Ｂをするとしたが、これに限らず、トレー１や蓋２の枚数を増やして、光学部品Ｌの収容数を増やすようにしても良い。
具体的には、上述のようにして１段目のトレー１に光学部品Ｌを配置して、その上に１段目の蓋２を重ね合わせる。次いで、図６に示すように、１段目の蓋２の上面２bに２段目のトレー１の下面１bを重ね合わせる。このとき、１段目の蓋２の上面２bの枠部２３内に２段目のトレー１の下面１bの枠部１３が嵌め込まれることによって、１段目の蓋２と２段目のトレー１とが固定される。さらに、当該２段目のトレー１に光学部品Ｌを配置し、さらにその上に２段目の蓋２を重ね合わせる。このようにして順次、トレー１、光学部品Ｌ及び蓋２を重ね合わせていき、最後に、最下段のトレー１の下面１bの枠部１３の内側及び最上段の蓋２の上面２bの枠部２３の内側にそれぞれカバー３Ａ，３Ｂを配置して、ゴムＧを掛けることによって複数段のトレー１、光学部品Ｌ及び蓋２が固定される。
【００２０】
また、トレー１の上面１a及び蓋２の下面２aに形成された突起部１２及び溝部２２の形状は、トレー１及び蓋２を重ね合わせた状態で上下反転しても、収容した光学部品Ｌを保持することができる形状であれば、上述した形状に限定されるものではない。例えば図７に示すような形状としても良い。図７では、トレー１及び蓋２の貫通穴１１，２１の周囲に、トレー１及び蓋２を重ね合わせた際に互いに嵌合するように、側面視三角形状の凸部１２Ａ，２２Ａが貫通穴の周囲に複数設けられている。
【符号の説明】
【００２１】
１  トレー
２  蓋
１a  上面
１b  下面
２a  上面
２b  下面
３Ａ  カバー
３Ｂ
１３  枠部
２３  枠部
１００  収容容器
１０１  収容部
Ｌ  光学部品
【図１】
2013151313.tif 000003
【図２】
2013151313.tif 000004
【図３】
2013151313.tif 000005
【図４】
2013151313.tif 000006
【図５】
2013151313.tif 000007
【図６】
2013151313.tif 000008
【図７】
2013151313.tif 000009